(57)【要約】      （修正有）【課題】螺旋階段において支柱が設けられることのないために、開放感および美観の向上が担保される螺旋階段構造を提供する。【解決手段】ソアリングボックス１０と、前記ソアリングボックスに配設された段板２０と、前記段板と一体化された蹴込３０とを含み、前記段板は、前記ソアリングボックスに片持ち梁状に設けられてなる螺旋階段構造Ｋであって、ソアリングボックスは、立ち上がり部と、前記立ち上がり部の上端から一体的に形成されたソアリング部１２と、前記ソアリング部の上端から一体的に形成された水平部１３とを含むものとされる。【選択図】図２
0003234277.tif 000002
【実用新案登録請求の範囲】
【請求項１】
螺旋階段構造であって、
前記螺旋階段構造は、ソアリングボックスと、前記ソアリングボックスに配設された段板と、前記段板と一体化された蹴込とを含み、
前記段板は、前記ソアリングボックスに片持ち梁状に設けられてなる
ことを特徴とする螺旋階段構造。
【請求項２】
ソアリングボックスは、立ち上がり部と、前記立ち上がり部の上端から一体的に形成されたソアリング部と、前記ソアリング部の上端から一体的に形成された水平部とを含むものとされてなることを特徴とする請求項１記載の螺旋階段構造。
【請求項３】
ソアリングボックスの立ち上がり部の下端にベースプレートが配設されてなることを特徴とする請求項２記載の螺旋階段構造。
【請求項４】
ソアリングボックスが角型状とされてなることを特徴とする請求項１記載の螺旋階段構造。
【請求項５】
角型状とされたソアリングボックスの側面に段板が配設されてなることを特徴とする請求項４記載の螺旋階段構造。
【請求項６】
角型状とされたソアリングボックスの側面に蹴込が段板と一体化させて配設されてなることを特徴とする請求項５記載の螺旋階段構造。
【考案の詳細な説明】
【技術分野】
【０００１】
本考案は建築物の内部や建築物に付設して設けられる螺旋階段構造に関する。さらに詳しくは、外側のササラがなく内側のササラから踏板を片持ち梁状に設けることにより開放感および美観が向上した螺旋階段構造に関する。
【背景技術】
【０００２】
従来より、建築物の内部や建築物に付設して螺旋階段が設けられることがある。
【０００３】
この螺旋階段の中には、蹴込板をなくして視線の抜けをよくしたシースルータイプのものがある。
【０００４】
しかるに、かかる螺旋階段においては、支柱に各段ごとに段板を固定した後、この段板に手摺を固定するようになされた組立型のものや、現場において支柱に段板と手摺とを溶接にて取り付けて螺旋階段となす現場組立型のものが知られている。
【０００５】
しかしながら、前記従来のいずれの螺旋階段においても、しっかりとした支柱によって段板が支持されることによって螺旋階段が形成されているため、階段の中心に極太の支柱が必要とされている。したがって、支柱の印象が強くなるとともに、階段を昇降する際に常に視線の先に極太の支柱が入るため、見た目の印象ほどに開放感のある階段とはならないという問題があった。
【０００６】
また、階段の周囲は明るいが、中心部分が支柱によって遮られるので、中心部が吹き抜けた中空階段ほどの通風性や採光性が得られないという問題もあった。
【０００７】
かかる従来技術の課題を解決すべく、特許文献１には、図６に示すように、支柱１０１と、手摺壁１０２と、段板１０３とからなり、前記支柱１０１は、複数本の長尺の鋼材からなり、隣接する鋼材間に隙間を設けた状態において天井の躯体に固定されて吊り下げられ、手摺壁１０２は、複数本の長尺の板材からなり、前記鋼材と対応するように、床上に立設され、段板１０３は、前記鋼材と、それに対応する板材との間にそれぞれ設けられた段板支持部材の上に固定されてなる螺旋階段構造１００が提案されている。
【０００８】
しかしながら、特許文献１の提案に係る螺旋階段構造１００においても支柱が設けられているので、開放感に欠けるという問題は依然として解消されていない。
【先行技術文献】
【特許文献】
【０００９】
【特許文献１】特開２００８−２０９２号公報
【考案の開示】
【考案が解決しようとする課題】
【００１０】
本考案はかかる従来技術の課題に鑑みなされたものであって、螺旋階段において支柱が設けられることのないために、開放感および美観の向上が担保される螺旋階段構造を提供することを目的としている。
【課題を解決するための手段】
【００１１】
本考案は螺旋階段構造であって、前記螺旋階段構造は、ソアリングボックスと、前記ソアリングボックスに配設された段板と、前記段板と一体化された蹴込とを含み、前記段板は、前記ソアリングボックスに片持ち梁状に設けられてなることを特徴とする。
【００１２】
本考案においては、ソアリングボックスは、立ち上がり部と、前記立ち上がり部の上端から一体的に形成されたソアリング部と、前記ソアリング部の上端から一体的に形成された水平部とを含むものとされてなるのが好ましい。その場合、ソアリングボックスの立ち上がり部の下端にベースプレートが配設されてなるのがさらに好ましい。
【００１３】
また、本考案においては、ソアリングボックスが角型状とされてなるのが好ましい。その場合、角型状とされたソアリングボックスの側面に段板が配設されていたり、角型状とされたソアリングボックスの側面に蹴込が段板と一体化させて配設されていたりするのがさらに好ましい。
【考案の効果】
【００１４】
本考案は、前記の如く構成されているので、開放感および美観が向上するという優れた効果を奏する。
【００１５】
また、段板を支持する支柱が不要であるため、施工期間が短縮されるとともに施工コストが低減されるという優れた効果も奏する。
【図面の簡単な説明】
【００１６】
【図１】本考案の一実施形態に係る螺旋階段構造のイメージ図である。
【図２】同斜視図である。
【図３】同平面図である。
【図４】同背面図である。
【図５】同背面図の立ち上がり部下端部の拡大図であって、同(ａ)は図４の矢視Ａ−Ａを示し、同(ｂ)は同(ａ)の矢視Ｂ−Ｂを示す。
【図６】特許文献１の提案に係る螺旋階段構造の概略図である。
【考案を実施するための形態】
【００１７】
以下、添付図面を参照しながら本考案を実施形態に基づいて説明するが、本考案はかかる実施形態のみに限定されるものではない。
【００１８】
本考案の螺旋階段構造Ｋの一実施形態を図１ないし図４に示す。なお、本実施形態の螺旋階段構造Ｋは、屋内の一階から二階に上がる螺旋階段に関するものとされる。
【００１９】
螺旋階段構造Ｋは、図１ないし図４に示すように、螺旋階段構造Ｋの内側に設けた螺旋状とされた縦長ボックス(以下、ソアリングボックス(九州第一工業株式会社  商品名  商願２０２１−７８８２４号)という)１０の側面に段板２０の内側端を例えば溶接にて固定し、段板２０の外側端を開放端とする、いわゆる片持ち梁構造としてなるものとされる。
【００２０】
ソアリングボックス１０は、図１ないし図４に示すように、一階の基礎中から立ち上がる立ち上がり部１１と、立ち上がり部１１の上端から一体的に形成された螺旋状のソアリング部１２と、ソアリング部１２の上端から一体的に形成された水平部１３とを含むものとされる。立ち上がり部１１の立ち上がりは、例えば５５０ｍｍ、水平部１３の水平長さは、例えば１３００ｍｍとされる。立ち上がり部１１の下端にはベースプレート１４が配設されていて、アンカーボルトにより一階基礎に固定されるようにされている。立ち上がり部１１は、図４に示すように、一階基礎中に埋め殺しとされている。一方、水平部１３の水平端は二階床(図示省略)に配設されている接続部材Ｃに、例えば溶接にて接合されている。
【００２１】
ソアリングボックス１０の断面サイズは、例えば高さが３５０ｍｍ、幅が１7５ｍｍ、板厚が１６ｍｍの厚板とされる。板厚が１６ｍｍの厚板とされるのは、段板２０をソアリングボックス１０の側面に溶接にて取り付けた場合でも抜け落ちしないようにするためとされている。
【００２２】
階段は、例えば、段板２０が幅３００ｍｍ、蹴込３０が高さ２００ｍｍ、ソアリングボックス１０側面からの張り出しが１３００ｍｍとされている。また、板厚は、例えば３．２ｍｍとされている。蹴込３０は段板２０に例えば溶接にて固定されて段板２０と一体化されている。階段の最上部には二階への渡り板２１が配設されている。渡り板２１のソアリングボックス１０側端部は、ソアリングボックス１０上面に載置固定され、先端部は二階床の支持梁Ｂに載置固定されている。
【００２３】
手摺４０は、一方の手摺支柱４１がソアリングボックス１０上面に適宜間隔で配設される一方、段板２０の外側端にも前記手摺支柱４１に対応させて他方の手摺支柱４２が蹴込３０に設けられた取付部材３１に例えば溶接にて固定され、そしてそれぞれの手摺支柱４１，４２の上端に笠木４３が配設されている。
【００２４】
このように、本実施形態の螺旋階段構造Ｋによれば、段板２０をサポートする支柱がないので、開放感および美観が向上する。また、段板２０を支持する支柱が不要であるため、施工期間が短縮されるとともに施工コストが低減される。
【００２５】
以上、本考案を実施形態に基づいて説明してきたが、本考案はかかる実施形態のみに限定されるものではなく、種々改変が可能である。
【００２６】
例えば、本実施形態では、屋内階段を例に取り説明されているが、本考案の適用は屋内階段のみに限定されるものではなく、屋外階段にも適用できる。
【産業上の利用可能性】
【００２７】
本考案は建築産業に適用できる。
【符号の説明】
【００２８】
Ｋ          螺旋階段構造
Ｂ          支持梁
Ｃ          接続部材
１０          ソアリングボックス
１１          立ち上がり部
１２          ソアリング部
１３          水平部
１４          ベースプレート
２０          段板
２１          渡り板
３０          蹴込
３１          取付部材
４０          手摺
４１，４２    手摺支柱
４３          笠木
【図１】
0003234277.tif 000003
【図２】
0003234277.tif 000004
【図３】
0003234277.tif 000005
【図４】
0003234277.tif 000006
【図５】
0003234277.tif 000007
【図６】
0003234277.tif 000008